(57)【特許請求の範囲】
【請求項１】
腕時計本体（１２）の一端側（１２ａ）に一方の端部（１１ａ）が回動自在に軸支され、他方の端部（１１ｂ）が前記腕時計本体（１２）の他端側（１２ｂ）に架設された係止ピン（１８）に係止する腕時計用ベルト（１１）であって、
該腕時計用ベルト（１１）は、ステンレス材で剛性を有して湾曲状に形成されており、
前記他方の端部（１１ｂ）を持ち上げてから、当該他方の端部（１１ｂ）に設けた係止溝（１４）を前記係止ピン（１８）に対して、前記ステンレス材の剛性を利用し且つ強制的に乗り越えて係止及び係脱する構成であり、
当該腕時計用ベルト（１１）は、一体なステンレス材の長板を３〜７ｍｍの範囲内で所定の幅づつ連続的に折り曲げて、湾曲状に形成したこと
を特徴とする腕時計用ベルト（１１）。
【発明の詳細な説明】
【技術分野】
【０００１】
本発明は、腕時計本体に設けた係止ピンを、ベルトを取り付けるための係止金具として利用してベルトを係止する機構であり、装着が容易で装着者の意に反して手首から外れることがない腕時計用ベルトに関するものである。
【背景技術】
【０００２】
従来の腕時計用ベルトとしては、次のような構成のものが知られている。この腕時計用ベルトは、腕時計本体の一端側（目盛り１２時側）に取り付ける上ベルトと、他端側（目盛り６時側）に取り付ける下ベルトとからなり、上ベルトと下ベルトとのそれぞれの他端が結束用の中留め部に連結している（特許文献１参照）。
【０００３】
中留め部は、下ベルトの他端が回動自在に連結する下板と、下板の端部が回動自在に連結する中板と、下板と中板とを折り畳んだ状態で保持すると共に上ベルトの他端が回動自在に連結する表カバーとを備えている。
【０００４】
このような構成の腕時計用ベルトは、手首への装着時には中留め部を折り畳んで保持させる。また、表カバーの側部に突出した操作部を押し込み操作することによって、折り畳んだ状態の中留め部を解放して、ワッカ状のベルト部分がバネ様のテンションで拡がりベルトを容易に拡げる仕組みになっている。
【先行技術文献】
【特許文献】
【０００５】
【特許文献１】特開２００５−１３７７９１号公報
【発明の概要】
【発明が解決しようとする課題】
【０００６】
この従来例の腕時計用ベルトにおいては、操作部が不用意に押されてしまい、ベルトが装着者の意に反して拡がって手首から外れるおそれがあるという欠点を有している。
【０００７】
また、腕時計用ベルトとしての機能を備えるだけであり、例えばブレスレットのような装飾的な機能は備えていないという欠点も有している。
【０００８】
更に、下板や中板あるいは表カバー等の部品の隙間にゴミや垢が入り込んで不潔になると共に、定期的なクリーニングが必要であるという欠点も有している。
【０００９】
従って、従来例における腕時計用ベルトにおいては、装着者の意に反して手首から外れることを防止することと、装飾的な機能も兼ね備えることと、部品の隙間にゴミや垢が溜まらないようにすることとに解決しなければならない課題を有している。
【課題を解決するための手段】
【００１０】
前記従来例の課題を解決するための本発明の要旨は、腕時計本体（１２）の一端側（１２ａ）に一方の端部（１１ａ）が回動自在に軸支され、他方の端部（１１ｂ）が前記腕時計本体（１２）の他端側（１２ｂ）に架設された係止ピン（１８）に係止する腕時計用ベルト（１１）であって、該腕時計用ベルト（１１）は、ステンレス材で剛性を有して湾曲状に形成されており、前記他方の端部（１１ｂ）を持ち上げてから、当該他方の端部（１１ｂ）に設けた係止溝（１４）を前記係止ピン（１８）に対して、前記ステンレス材の剛性を利用し且つ強制的に乗り越えて係止及び係脱する構成であり、当該腕時計用ベルト（１１）は、一体なステンレス材の長板を３〜７ｍｍの範囲内で所定の幅づつ連続的に折り曲げて、湾曲状に形成したことである。
【発明の効果】
【００１２】
本発明に係る腕時計用ベルトによれば、ステンレス材で剛性を有して湾曲状に形成されており、他方の端部を持ち上げてから、当該他方の端部に設けた係止溝を前記係止ピンに対してステンレス材の剛性を利用し且つ強制的に乗り越えて係止及び係脱する構成であることによって、係止溝と係止ピンとの係合状態が比較的に強固なので、従来例のように装着者の意に反して手首から外れることがない。
ステンレス材で剛性を備えるので、ベルトが意に反して拡がることがなく、手首への装着状態が多少緩めであっても、装着者の手首から外れることがない。
ステンレス材で形成されるので、錆が発生することがなく、キズや汚れにも強い。
更には、ステンレスの１パーツからなるので劣化が少なく耐久性が高い。また、従来例のような中留め部や突起した部分が無いので部品の隙間にゴミや垢が溜まらない。そして、突起した部分が無いので外側から装着方法が見えない。更に、ベルトの裏側に文字や名前など刻印することが可能である。
特に、腕時計用ベルトは、一体なステンレス材の長板を３〜７ｍｍの範囲内で所定の幅づつ連続的に折り曲げて、湾曲状に形成したことによって、滑らかで自在な曲線を表現できるので、外見がブレスレットのようなデザインで装飾的な機能も兼ね備えることが可能であるという種々の優れた効果を奏する。
【図面の簡単な説明】
【００１４】
【図１】本発明に係る腕時計用ベルト１１の斜視図である。
【図２】腕時計用ベルト１１を取り付けた腕時計の正面図である。
【図３】腕時計用ベルト１１を取り付けた腕時計の正面図である。
【図４】腕時計用ベルト１１の係止方法を説明する腕時計の要部の斜視図である。
【図５】腕時計用ベルト１１の係止方法を説明する腕時計の側面図である。
【図６】腕時計用ベルト１１の係止方法を説明する腕時計の側面図である。
【図７】腕時計用ベルト１１の係止方法を説明する腕時計の側面図である。
【発明を実施するための形態】
【００１５】
次に、本発明の実施の形態について図面を参照しながら説明する。まず、図１において、符号１１は腕時計用ベルトを示し、この腕時計用ベルト１１は、ステンレス材で剛性を有して湾曲状に形成される。
【００１６】
腕時計用ベルト１１は、一方の端部１１ａの内側に軸ピン１３が溶接等の接着手段で固定されている。また、他方の端部１１ｂの内側には、幅方向に沿った係止溝１４が設けられている。
【００１７】
一方、腕時計本体１２の一端側（目盛り１２時側）１２ａには、一対の取付部１５が設けられており、それぞれの取付部１５の内側には、図示しないピン挿入孔が形成されている。ピン挿入孔に対して、軸ピン１３の両方の端部１３ａが挿入されて、腕時計用ベルト１１が回動自在に軸支される（図２及び図３参照）。
【００１８】
腕時計本体１２の他端側（目盛り６時側）１２ｂには、一対の取付部１７が設けられており、この取付部１７には係止ピン１８が架設されている（図２及び図３参照）。
【００１９】
腕時計用ベルト１１を装着するときは、図４及び図５に示すように、係止ピン１８の近傍に位置する腕時計用ベルト１１の他方の端部１１ｂを、矢印Ａ方向に持ち上げる。そして、図６及び図７に示すように、係止ピン１８に対して係止溝１４を強制的に乗り越えて係止する。
【００２０】
また、腕時計用ベルト１１を外すときには、上述した図４から図７までの手順とは逆の手順によって行う。即ち、他方の端部１１ｂを矢印Ａ方向に持ち上げて、係止ピン１８に対して係止溝１４を強制的に乗り越えて係脱する。
【００２１】
次に、腕時計用ベルト１１を湾曲状に形成する方法について説明する。腕時計用ベルト１１は、一体なステンレス材の長板を所定の幅づつ（例えば３〜７ｍｍ毎に）連続的に折り曲げて、湾曲状に形成する。このような方法で湾曲形成することによって、滑らかで自在な曲線を表現できるので、外見がブレスレットのようなデザインで装飾的な機能も兼ね備えることが可能となる。
【００２２】
以上のように構成される腕時計用ベルト１１は、ステンレス材で剛性を有して湾曲状に形成されており、他方の端部１１ｂを持ち上げて、当該端部１１ｂに設けた係止溝１４を係止ピン１８に対して強制的に乗り越えて係止及び係脱する構成であることによって、係止溝１４と係止ピン１８との係合状態が比較的に強固になるので、従来例のように装着者の意に反して手首から外れることがない。
【００２３】
また、腕時計用ベルト１１はステンレス材で剛性を備えるので、ベルトが意に反して拡がることがなく、手首への装着状態が多少緩めであっても、装着者の手首から外れることがない。
【００２４】
そして、腕時計用ベルト１１はステンレス材で形成されるので、錆が発生することがなく、キズや汚れにも強い。
【００２５】
更に、ステンレスの１パーツからなるので劣化が少なく耐久性が高い。また、従来例のような中留め部や突起した部分が無いので部品の隙間にゴミや垢が溜まらない。そして、突起した部分が無いので外側から装着方法が見えない。更には、ベルトの裏側に文字や名前など刻印することが可能である。
【産業上の利用可能性】
【００２６】
本考案の腕時計用ベルト１１は、ステンレス材で滑らかな曲線を表現して装飾的な機能も兼ね備えるので、腕時計用ベルトだけでなく、ブレスレットとして使用することが可能である。
【符号の説明】
【００２７】
１１  腕時計用ベルト
１１ａ一方の端部
１１ｂ他方の端部
１２  腕時計本体
１２ａ一端側（目盛り１２時側）
１２ｂ他端側（目盛り６時側）
１３  軸ピン
１３ａ端部
１４  係止溝
１５  取付部
１７  取付部
１８  係止ピン
【図１】
0006483358.tif 000002
【図２】
0006483358.tif 000003
【図３】
0006483358.tif 000004
【図４】
0006483358.tif 000005
【図５】
0006483358.tif 000006
【図６】
0006483358.tif 000007
【図７】
0006483358.tif 000008